(57)【要約】【課題】動物を飼育用ケージから薬理試験等の測定用チャンバー装置等の収容用ケージへ動物を移す際に、動物を捕捉することなく、安全に短時間で動物の移動を行うことができる運搬用ケージを提供することを目的とする。【解決手段】非ヒト霊長類を所定の場所へ運搬する運搬用ケージであって、非ヒト霊長類を収容する収容部と、収容部に出入りするための第一開口部と、第一開口部の外側に設置された扉部と、を備える。そして、扉部は、第一開口部に対向するように設置され、該第一開口部での出入方向に対して垂直方向に上げられる第一扉と、第一扉を挟んで第一開口部とは反対側に設置される第二扉と、を有する。更には、非ヒト霊長類を収容部から押し出すように、第一開口部に向かって移動することが可能な狭体板が設けられる。【選択図】図３
2010081852.tif 000002
【特許請求の範囲】
【請求項１】
非ヒト霊長類を所定の場所へ運搬する運搬用ケージであって、
非ヒト霊長類を収容する収容部と、
外部から前記収容部に非ヒト霊長類が出入りするための第一開口部と、
前記第一開口部の外側に設置され、開閉することで該第一開口部を介した非ヒト霊長類の前記収容部への出入りを調整する扉部と、を備え、
前記扉部は、
前記第一開口部に対向するように設置され、該第一開口部での非ヒト霊長類の出入方向に対して垂直方向に上げることが可能な第一扉と、
前記第一扉を挟んで前記第一開口部とは反対側に設置され、前記収容部に対して着脱可能な第二扉と、を有し、
前記運搬用ケージは、
非ヒト霊長類を前記収容部から押し出すように、前記第一開口部に向かって移動することが可能な狭体板を更に備える、
運搬用ケージ。
【請求項２】
前記運搬用ケージを非ヒト霊長類が逃げられないようにした囲いに連結し、該運搬用ケージから非ヒト霊長類を該囲いに移す際には、前記第二扉は前記収容部から取り外されるとともに、前記第一扉は非ヒト霊長類の出入方向に対して垂直方向に上げられ、前記狭体板によって非ヒト霊長類を該収容部から該囲いに移動させる、
請求項１に記載の運搬用ケージ。
【請求項３】
請求項１又は２に記載の運搬用ケージは、非ヒト霊長類を収容する収容用ケージへ、非ヒト霊長類を運搬する運搬用ケージであって、
前記第一開口部は、前記収容用ケージの非ヒト霊長類が出入りする第二開口部と接合し、
前記挟体板が前記第一開口部に向かって移動することによって、非ヒト霊長類が、接合された前記第一開口部と前記第二開口部を経て前記運搬用ケージから前記収容用ケージへ移動する、
運搬用ケージ。
【請求項４】
前記運搬用ケージは、前記第一開口部が前記第二開口部との接合を保持する手段を有する、
請求項３に記載の運搬用ケージ。
【請求項５】
前記収容用ケージは、非ヒト霊長類の生体を測定する測定装置、もしくは非ヒト霊長類を飼育する飼育用ケージである、
請求項３又４に記載の運搬用ケージ。
【請求項６】
前記測定装置は、無麻酔、無拘束状態で、呼吸器系の薬理試験を実施するチャンバー装置である、
請求項５に記載の運搬用ケージ。
【請求項７】
前記運搬用ケージは、前記収容部の外側から前記第一扉を垂直方向に上げるための操作用取手を更に備える、
請求項１から６の何れか一項に記載の運搬用ケージ。
【請求項８】
前記運搬用ケージは、前記収容部の底部にキャスターを更に備える、
請求項１から７の何れか一項に記載の運搬用ケージ
【請求項９】
非ヒト霊長類はサルである、
請求項１から８の何れか一項に記載の運搬用ケージ。
【発明の詳細な説明】
【技術分野】
【０００１】
本発明は、非ヒト霊長類を所定の場所へ運搬する運搬用ケージに関する。
【背景技術】
【０００２】
従来、サル等の動物を用いた医学用及び薬学用試験では、中枢神経系及び心血管系の測定については無麻酔・無拘束下で行う方法が確立している。しかし、呼吸器系の測定を行う際には、麻酔下、又はモンキーチェアーなどの拘束下において試験が行われていた。しかし、上記のような環境下では動物に対して麻酔の影響や拘束のストレス等が加わるため、正常状態での動物について、上記試験を行うことができなかった。特に、薬理試験等における呼吸器系や心血管系試験においては、同時に心拍数や血圧等も測定されることもあり、麻酔の影響や拘束のストレスのない無麻酔、無拘束状態の動物について上記試験を行うことが望まれていた。
【０００３】
呼吸器系試験を行う場合には、密閉された透明チャンバー装置中に動物を収容して、該チャンバー装置中の気圧の変化により動物の呼吸量を感知する方法が用いられているが（特許文献１参照）、このようなチャンバー装置においては、サルは馴化やチャンバー装置への出し入れが難しいため、馴化可能でチャンバー装置への出し入れが容易なマウス、ラット、モルモット等の小動物を用いて試験を行わざるを得なかった。この問題を解決する呼吸器系試験装置として、内部観察及び空気流通を可能とする金属性格子により囲まれた檻にサル等の動物を収容し、該動物が収容された檻を、上記密閉された透明チャンバー装置中に収容する構成を有するチャンバー装置が開示されている（特許文献２を参照）。該チャンバー装置によれば、該檻に動物を収容することにより、動物の馴化が可能であり、無麻酔、無拘束状態で薬理試験を行うことが可能であると記載されている。
【０００４】
しかし、上記装置では、個々のチャンバー装置にそれぞれ金属製の檻が必要となる構成であるため装置として高価であること、外部からの動物の詳細な観察が檻越しとなるため困難なこと、及びチャンバー装置内に檻があることにより換気や呼吸により発生する空気の自然な流れを阻害するといった問題点があった。また、通常動物用檻に使用される金属性板は、重量など運搬の都合上薄い板が使用されているためたわみやすく、動物が檻の中を動き回り、檻の壁に触れること等により動物の動きが檻に伝わり、測定に影響を及ぼす空気の流れが発生することと、さらには測定における操作が煩雑になるという問題があった。
【０００５】
そこで、上記測定用チャンバー装置中に檻ごと動物を搬入するのではなく、効率良くチャンバー装置中へ動物を収容可能なケージが求められている。このような動物用ケージとしては、サルを強制的に檻前面に移動させるための狭体板で、かつ該狭体板がケージ外部から操作可能な構造であるものが開示されている（特許文献３を参照）。
【特許文献１】特表２００７−５０００６７号公報
【特許文献２】国際公開公報ＷＯ２００７−０１５２８９
【特許文献３】特開平１１−７５５９８号公報
【発明の開示】
【発明が解決しようとする課題】
【０００６】
従来から、測定用チャンバー装置中に動物を収容する際に、飼育用ケージから動物を運搬し、動物を強制的に前に移動させる事が可能な運搬用ケージが開発されている。しかし、上記の運搬用ケージではチャンバー装置へ動物を移動する際や、チャンバー装置から運搬用ケージへ動物を移動する際に、動物を一度捕捉する必要があり、危険であることや動
物の移動に時間がかかる等の問題点があった。
【０００７】
そこで、本発明では、サル等の動物を飼育用ケージから薬理試験等の測定用チャンバー装置等の収容用ケージへ移す際に、動物を捕捉することなく、安全に短時間で動物の移動を行うことができる運搬用ケージを提供することを目的とする。
【課題を解決するための手段】
【０００８】
本発明に係る運搬用ケージは、上述した課題を解決するために、二重の扉と、狭体板を備える点を工夫した。これにより、サル等の動物（以下、非ヒト霊長類と記載する。また、本明細書中で「サル」は「非ヒト霊長類」の一例として記載される。）を捕捉することなく、安全に短時間で所定の場所へ移動させることが可能な運搬用ケージを提供することが可能である。
【０００９】
詳細には、本発明に係る運搬用ケージは、非ヒト霊長類を所定の場所へ運搬する運搬用ケージであって、非ヒト霊長類を収容する収容部と、外部から前記収容部に非ヒト霊長類が出入りするための第一開口部と、前記第一開口部の外側に設置され、開閉することで該第一開口部を介した非ヒト霊長類の前記収容部への出入りを調整する扉部と、を備える。そして、前記扉部は、前記第一開口部に対向するように設置され、該第一開口部での非ヒト霊長類の出入方向に対して垂直方向に上げることが可能な第一扉と、前記第一扉を挟んで前記第一開口部とは反対側に設置され、前記収容部に対して着脱可能な第二扉と、を有し、更には、前記運搬用ケージは、非ヒト霊長類を前記収容部から押し出すように、前記第一開口部に向かって移動することが可能な狭体板も備える。
【００１０】
運搬用ケージは、非ヒト霊長類を所定の場所へ運搬する。所定の場所とは、例えば、非ヒト霊長類を飼育する飼育用ケージや、非ヒト霊長類を収容する収容用ケージである。運搬用ケージは、収容部、第一扉、第二扉を含む扉部及び狭体板を備える。ここで、第一扉は、収容部の第一開口部に対向するように設置され、該第一開口部での非ヒト霊長類の出入り方向に対して垂直方向に上げることが可能である。また、第二扉は、第一扉を挟んで第一開口部とは反対側に、すなわち運搬用ケージの外部から第一扉の上に重なるように設置され、且つ収容部に対して着脱可能である。狭体板は、非ヒト霊長類を運搬用ケージから所定の場所へ移動させる際に、非ヒト霊長類を収容部から押し出すように、第一開口部に向かって移動し、非ヒト霊長類を収容部から押し出すことが可能である。
【００１１】
その結果、本発明に係る運搬用ケージは、非ヒト霊長類を所定の場所、例えば収納用ケージへ運搬する際は第一扉と第二扉を閉め、非ヒト霊長類が逃げないように安全に運搬することが可能である。また、非ヒト霊長類を運搬用ケージから収納用ケージ等の所定の場所へ移動する際は、第二扉を収容部から取り外し、第一扉を閉めた状態にする。続いて、収納用ケージの開口部（本明細書中は「第二開口部」と称する）と、運搬用ケージの第一開口部とを接合させ、第一扉を垂直方向に引き上げる。そして、狭体板を第一開口部に向かって移動することによって、非ヒト霊長類を運搬用ケージの収容部から押し出し、収納用ケージ等の所定の場所へ移動させることが可能である。従って、本発明に係る運搬用ケージは、非ヒト霊長類を捕捉することなく、安全に短時間で所定の場所へ非ヒト霊長類を移動させることが可能である。
【００１２】
また、本発明に係る運搬用ケージは、非ヒト霊長類を収容する収容用ケージへ、非ヒト霊長類を運搬する運搬用ケージであって、前記第一開口部は、前記収容用ケージの非ヒト霊長類が出入りする第二開口部と接合し、前記挟体板が前記第一開口部に向かって移動することによって、非ヒト霊長類が前記運搬用ケージから前記収容用ケージへ移動してもよい。
【００１３】
本発明に係る運搬用ケージは、運搬用ケージの第一開口部と、収容用ケージの第二開口部とが接合することによって、運搬用ケージ及び収容用ケージの外部へ第一開口部と第二開口部の境目から非ヒト霊長類が逃げ出しにくく、安全に非ヒト霊長類を収容用にケージへ移動させることが可能である。また、狭体板が収容部の第一開口部に向かって移動することによって、非ヒト霊長類が第一開口部側へ移動する。その結果、非ヒト霊長類を捕捉することなく、安全に短時間で、第一開口部から第二開口部を介して収容用ケージへ非ヒト霊長類を移動することが可能である。
【００１４】
更に、本発明に係る運搬用ケージは、前記第一開口部が前記第二開口部と接着保持する手段を有してもよい。運搬用ケージの第一開口部と収容用ケージの第二開口部とが接着保持して接合することにより、運搬用ケージ及び収容用ケージの外部へ第一開口部と第二開口部の境目から非ヒト霊長類がより逃げ出しにくく、安全に、非ヒト霊長類を収容用ケージへ確実に移動させることが可能である。
【００１５】
ここで、本発明に係る運搬用ケージにおいて、前記収容用ケージは、非ヒト霊長類の生体を測定する測定装置、もしくは非ヒト霊長類を飼育する飼育用ケージでもよい。非ヒト霊長類の運搬作業によって、非ヒト霊長類にストレスを与えてしまうことがある。そこで、本発明に係る運搬用ケージは、非ヒト霊長類を捕捉することなく測定装置や飼育用ケージへ移動させることが可能であるため、非ヒト霊長類へ必要以上のストレスを与えることがない効果を有する。
【００１６】
ここで、前記測定装置は、無麻酔、無拘束状態で、呼吸器系の薬理試験を実施するチャンバー装置でもよい。非ヒト霊長類に対して、無麻酔、無拘束状態で、呼吸器系の薬理試験を行う場合は、非ヒト霊長類のストレスによって測定値が異なることもある。従って、本発明に係る運搬用ケージは、非ヒト霊長類へ必要以上にストレスを与えることがないため、非ヒト霊長類の運搬による薬理試験に与える影響を少なくすることが可能である。
【００１７】
ここで本発明に係る運搬用ケージは、前記収容部の外側から前記第一扉を垂直方向に上げるための操作用取手を更に備えてもよい。収容部の外側に設けられた操作用取手によって、第一扉を垂直方向に上げることが可能であるため、第一開口部と第二開口部を接合させれば、収容部に収容されている非ヒト霊長類が隙間から逃げることがなく、また、安全に第一扉を上げることが可能である。
【００１８】
ここで本発明に係る前記運搬用ケージは、前記収容部の底部にキャスターを更に備えてもよい。キャスターを収容部の底部に備えることによって、非ヒト霊長類を所定の場所へ容易に運搬することが可能である。
【００１９】
ここで本発明に係る運搬用ケージによって、所定の場所へ運搬される非ヒト霊長類はサルでもよい。サルはヒトと生体機能が近いため、該運搬用ケージから測定用チャンバーに搬入して、該測定装置等によって医学的、薬学的測定を行うことによってヒトへの影響を予測する際優位であるので、薬理学試験等に多く用いられている。
【発明の効果】
【００２０】
本発明に係る運搬用ケージは、動物を飼育用ケージから薬理試験等の測定用チャンバー装置等の収容用ケージへ動物を移す際に、動物を捕捉することなく、安全に短時間で動物の移動を行うことができる運搬用ケージを提供することが可能である。
【発明を実施するための最良の形態】
【００２１】
ここで、本発明の実施例の運搬用ケージ１００の実施の形態について図面に基づいて説明する。本発明の実施例の運搬用ケージ１００は、チャンバー装置１へ運搬することとす
る。尚、本発明の運搬用ケージ１００は本実施例に限定されるものではない。
【００２２】
先ず、本発明の実施例の運搬用ケージ１００によって運搬された非ヒト霊長類を収容するチャンバー装置１について詳細に説明する。図１は、本発明の実施例のチャンバー装置１の斜視図である。図１Ａは、本発明の実施例のチャンバー装置１の連通管２６のＡ−Ａ拡大断面図である。図２は、本発明の実施例のチャンバー装置１の二重の扉４を開放した正面斜視図である。尚、本発明の実施例では、非ヒト霊長類としてサルを例示する。
【００２３】
（１）チャンバー装置の構成
本発明の実施例のチャンバー装置１は、サルの無麻酔、無拘束状態での測定用チャンバー装置であって、サルを収容する第一収容部２と、第一収容部２の試験室２１の内部の側面にサルが着座することが可能な突起部３と、開閉することによってサルが第一収容部２の試験室２１へ出入り可能である扉部４とを有する。本発明の実施例のチャンバー装置１は、第一収容部２の試験室２１に収容したサルを用いて、医学的、薬学的な試験のための測定を行う装置であれば如何なるものでもよい。具体的には、サルを用いた呼吸器系、代謝系、循環器系及び中枢神経系薬理試験等のための測定装置が挙げられる。これらの薬理試験のうち、特にサルの運動量やストレス等の影響が大きい呼吸器系の薬理試験では、本発明の実施例のチャンバー装置１が好ましく用いられる。
【００２４】
図１に示すように、本発明の実施例のチャンバー装置１は、直方体で、上面５１及び前面５２が透明の壁、側面５３、背面５４及び底面５５が不透明の壁により囲まれて構成されている。尚、上面５１及び前面５２が少なくとも透明な壁によって構成されていればよい。また、チャンバー装置１は、該チャンバー装置１の内外で空気の出入りを遮断することが可能な構造である。上面５１の透明の壁は、サルが直接接触する場合があるので、強度があるものが好ましく、具体的には厚さが１０ｍｍ以上のアクリル板や、塩ビ又はポリカーボネイト等の透明板が好ましく用いられ、ステンレス製等の枠にはめ込むように設置されているものも好ましい。また、図２に示すように、チャンバー装置１の試験室２１の底面には、挿抜自在な網状金属板６が設置される。また、試験室２１には、測定後に動物を運搬用ケージ１００に移動させる際に、運搬用ケージ挿入用レール６１が底面に設置されている。尚、運搬用ケージ１００は、サルを飼育用ケージからチャンバー装置１まで運搬する際に使用するケージである。運搬用ケージ１００についての説明は後述する。
【００２５】
また、図１に示すように、本発明の実施例のチャンバー装置１の前面５２には、第一の扉４１と第二の扉４２とで構成された扉部４が設置されている。これらの第一の扉４１と第二の扉４２とは、チャンバー装置１の第一収容部２へのサルの出入りを可能とすべく、第二開口部７に対して開閉可能な扉である。詳細には、第一の扉４１は、第二開口部７に対して対向するように設置されるとともに、該第二開口部７でのサルの出入り方向に対して垂直方向に引き抜き可能である。また、第二の扉４２は、第一の扉４１を挟んで第二開口部７とは反対側に設置され、すなわち、チャンバー装置１の外側から第一の扉４１に対して更に重なるように設置されるとともに、該第二開口部７を介した第一収容部２と外部との空気の出入りを遮断可能である。
【００２６】
第一の扉４１が第二開口部７に対して垂直方向に引き抜き可能であることにより、サルのチャンバー装置１から運搬用ケージ１００への移動が便利になり、サルがチャンバー装置１から運搬用ケージ１００へ移動する際に、逃げてしまうことを防止することが可能である。また、第二の扉４２は、該第二の扉４２を閉鎖した際に、第二開口部７を密閉し、チャンバー装置１の内外で空気の出入りを遮断することが可能なように、ゴム等のパッキンを施すことが好ましい。ゴム等のパッキンは第一収容部２側もしくは第二の扉４２側のどちらに施しても良いが，第二の扉４２側のほうが好ましい。尚、第一の扉４１は、第二の扉４２を取り外した際に、垂直方向に引き抜くことが可能である。
【００２７】
また、第一の扉４１は、上記透明板により構成することができるが、必要に応じて、孔の空いた金属板等により構成される。このような第一の扉４１は、例えば、薬品のサルへの連続投与を行う測定の場合、点滴用チューブを固定するために便利である。また、この場合、点滴用ポンプや薬液は第一の扉４１と第二の扉４２の間、サルを収容する第一収容部２の試験室２１、あるいはチャンバー装置１の外部に設置することも可能である。外部に点滴用ポンプや薬液を設置する場合には、第二の扉４２には外部と空気の出入りがない構造の穴を開けて、チューブを通すこと等ができる。尚、第一の扉４１と第二の扉４２の間に点滴用ポンプや薬液が設置されることにより、サルが出入りする第二開口部７の密閉状態を容易に維持することが可能である。第一の扉４１と第二の扉４２の具体的な操作については、後述する。
【００２８】
また、本発明の実施例のチャンバー装置１は、第一収容部２の下に、サルの餌箱８が設置され、更に、第一の扉４１と第二の扉４２との間には給水装置９も設置されている（図１参照）。また、試験室２１は換気を行うことが好ましく、試験室２１の外部に設置された換気装置に接続された換気口（不図示）が設置されていて、換気口はチャンバー装置１内の空気を効率よく換気させるため、左右側面の上部及び下部に複数箇所に設置されるのが好ましい（不図示）。本発明の実施例のチャンバー装置１に設置される呼吸器系測定用装置は、例えば、特表２００７−５０００６７号公報に記載のものが設置される。
【００２９】
上記チャンバー装置１には、サルを収容する第一収容部２を有し、測定に必要な装置が設置される。本発明の実施例のチャンバー装置１の特徴であるサルが着座し得る突起部３は、サルの第一収容部２の試験室２１の四方側面のいずれかに1個、もしくは複数設置される。尚、突起部３の大きさ及び形状は、測定に使用するサルが着座できる大きさや形状であれば如何なるものでもよいが、カニクイザルの場合は１０ｃｍ×１０ｃｍ〜３０ｃｍ×３０ｃｍの四角形あるいは楕円形等が好ましい。また、突起部３を設置する場所は、サルが着座して安定する箇所であれば特に制限はないが、二重の扉４の逆側か、人が通る方向から一番離れた箇所でサルの上方のスペースが十分確保されている箇所に設置することが好ましい。本発明の実施例のチャンバー装置１の突起部３は、二重の扉４と対向する第一収容部２の試験室２１内の側面に１個設置されている。突起部３の材質は、アクリル、木、塩ビ、ポリカーボネイト等が挙げられるが、好ましくは塩ビである。色は特に制限はないが、黒やグレーなどダークカラーが好ましい。
【００３０】
本発明の実施例のチャンバー装置１の第一収容部２の試験室２１は、サルを収容し第一空気流開口２３を持つ試験室２１と、第二空気流開口２４を持つ参照室２２を有する（図１Ａ参照）。試験室２１では、サルの呼吸系の薬理試験を実施する。動物の呼吸の測定は、試験室の圧と大気圧の差で測定しているが、試験室の大気圧のみを用いるとノイズが入ってくるため、正確ではなくなるので、半密閉（外気の急激な変動の影響を受けにくい）された参照室の大気圧の計測値を用いることにより、安定した大気圧が測定でき、測定ノイズを軽減することができる。第一空気流開口２３及び第二空気流開口２４は、外部空気流開口２５（図１及び図１Ａ参照）から外気を給気する連通管２６により連通されている。試験室２１と参照室２２は、共通の分離壁２７により分離されており、試験室２１、参照室２２及び分離壁２７はいずれも、上記の透明板等により構成されるものであることが望ましい。
【００３１】
上記試験室２１の大きさは、収容するサルの体長に応じて、ILAR(Institute of Laboratory Animal Resources)の動物実験に関する指針で規定された、体重３ｋｇ〜１０ｋｇのサルでは床面積０．３９ｍ2及び高さは７６．２ｃｍ以上であればよいが、測定値の正確性、再現性等の観点からできるだけ狭いことが好ましい。具体的には、例えば、カニクイザルを収容する場合には、試験室２１内側の居住空間が、縦：約７０ｃｍ、横：約６０ｃ
ｍ、高さ：約７６．５ｃｍであるもの等が好ましく用いられる。
【００３２】
（２）運搬用ケージの構成
測定に用いるサルは、飼育用ケージからチャンバー装置１までは、本発明の実施例の運搬用ケージ１００に入れて運搬される。以下に、本発明の実施例の運搬用ケージ１００を図面に基づき説明する。図３は、本発明の実施例の運搬用ケージ１００の斜視図である。また、図４は、本発明の実施例の運搬用ケージ１００の側面図である。図５は、本発明の実施例の運搬用ケージ１００の正面図である。以下、本発明の実施例の運搬用ケージ１００について、図３から図５を基に説明する。
【００３３】
本発明の実施例の運搬用ケージ１００は、直方体であり、前面１０１が格子状で、上面１０２、底面１０３、側面１０４及び側面１０５は金属板で構成されている。運搬用ケージ１００の前面１０１には、第一扉２０１と第二扉２０２とで構成された扉部２０３が設置されている。これらの第一扉２０１と第二扉２０２とは、運搬用ケージ１００の第二収容部８００へのサルの出入りを可能とすべく、第一開口部３００に対して開閉可能な扉である。詳細には、第一扉２０１は、サルが出入りする第一開口部３００に対して対向するように設置されるとともに、該第一開口部３００でのサルの出入り方向に対して垂直方向に引き抜き可能である。また、第二扉２０２は、第一扉２０１を挟んで第一開口部３００とは反対側に設置されるとともに、第二収容部８００から着脱可能である。運搬用ケージ１００の第一扉２０１は、運搬用ケージ１００の第二収容部８００から、チャンバー装置１の第一収容部２へ動物を移動させる際に便利であり、運搬用ケージ１００の第二扉２０２は、運搬用ケージ１００の第二収容部８００からサルが逃げないように安全に運搬することが可能である。第一扉２０１と第二扉２０２は、いずれも金属製の格子からなるものが好ましい。
【００３４】
本発明の実施例の運搬用ケージ１００の第二扉２０２は、運搬用ケージ１００の上面１０２側へ巻き上げる構造を有することが好ましいが、垂直方向へ引き上げる構造でもよい。運搬用ケージ１００の上面１０２へ巻き上げる構造としては、図４に示すように、運搬用ケージ１００の背面１０５上部の両サイドに駆動スプロケット４０１を設置し、従動スプロケットを運搬用ケージ１００の前面上部の両サイド４０２、運搬用ケージ１００の背面下部の両サイド４０３、及び運搬用ケージ１００の前面１０２下部の両サイド４０４に設置して、片側４つのスプロケット４０１、４０２、４０３及び４０４に巻き掛けられているエンドレス状ブロックチェーン４０５を２本設置する。この両サイドのブロックチェーン４０５には、連続して隣り合うもの同士接するように取付けられている多数の金属丸棒４０６があり、両サイドのチェーンを片側４つのスプロケット４０１、４０２、４０３及び４０４に巻きかけると、格子状になるものである。
【００３５】
また、上面１０２に設置された駆動スプロケット４０１には、これを回転させるための軸および軸を回転させる操作用取手４０７がケージの外側に設置されている。操作用取手４０７が第二収容部８００の外側に設けられることにより、第一開口部３００と第二開口部７を接合させれば、第二収容部８００に収容されている非ヒト霊長類が隙間から逃げることがなく、また、安全に第一扉２０１を巻き上げることが可能である。更に、前面１０１下部の両サイドにはチェーンのストッパープレート４０８が設置されている。
【００３６】
本発明の実施例の運搬用ケージ１００の底面１０３には、底板として挿抜自在な網状金属板を入れられる（不図示）。運搬用ケージ１００の容積は、収容するサルの体長に応じて、適宜選択可能であるが、上記チャンバー装置１からサルを運搬用ケージ１００に移動させる際に、運搬用ケージ１００をチャンバー装置１内へ挿入するので、挿入した際にチャンバー装置１と運搬用ケージ１００の間に広い隙間ができないサイズとすることが好ましい。
【００３７】
本発明の実施例の運搬用ケージ１００の前面１０１と背面１０５の間には、進退可能な狭体板５００が設置されている（図３参照）。狭体板５００は、運搬用ケージ１００のサル収容空間を背面１０５から前面１０１、あるいはその逆方向へ向かって狭くしていくことを目的として進退させる。従って、本発明の実施例の運搬用ケージ１００は、狭体板５００によって、サルを捕捉することなく、安全に短時間でチャンバー装置１にサルを移動させることが可能である。また、狭体板５００は、好ましくは両サイドに操作用ハンドル５０１が設置されている（図３参照）。この操作用ハンドル５０１は、運搬用ケージ１００の外側から操作でき、また前後どちらにでも引くことが可能なようにボールジョイント等で接合して設置することが好ましい。操作者が、両手でこの操作用ハンドル５０１を運搬用ケージ１００の外側から引押することにより、狭体板５００が進退する。さらに、狭体板５００を貫通するガイド用の棒を、運搬用ケージ１００の背面と前面にかけて横架すると、狭体板５００の進退動作がスムーズに行われるため好ましい。また、サルが狭体板５００を簡単には押し戻すことができないようにストッパー等の機能を有することも好ましい。
【００３８】
本発明の実施例の運搬用ケージ１００は、その底面１０３に移動用のキャスター６００が設置されている。該キャスター６００は、運搬用ケージ１００そのものの移動の目的と、チャンバー装置１内への運搬用ケージ１００の移動の目的を有するものである。尚、チャンバー装置１内のレール６１（図２参照）に、キャスター６００を挿入することが可能である。また、チャンバー装置１内へ段差なく移動できるように、該運搬用ケージ１００はチャンバー装置１との段差をなくすための台座７００（図４参照）に乗せることも好ましい。この場合、前記台座７００にさらにキャスター６００を付けておけば、運搬用ケージ１００を乗せたまま移動することができる。また、運搬用ケージ１００を台座７００に乗せる場合には、台座７００とチャンバー装置１とを固定するためのフック（不図示）を設置しておくことが好ましい。
【００３９】
（３）チャンバー装置を用いた測定方法
本発明の実施例のチャンバー装置１は、第一収容部２に収容したサルを用いて、医学的、薬学的な試験のための測定を行う装置であるが、サルを用いた呼吸器系薬理試験を行う場合を例にして以下にその使用方法を説明する。
【００４０】
薬理試験などに用いるサルは、飼育用ケージから上記運搬用ケージ１００へ移された後、上記チャンバー装置１まで運搬される。サルを運搬用ケージ１００からチャンバー装置１へ移動する手順としては、まず、チャンバー装置１の第二の扉４２を開けて、運搬用ケージ１００の第二扉２０２を外し、チャンバー装置１の第二開口部７と運搬用ケージ１００の第一開口部３００を対向させ、該第二開口部７と該第一開口部３００が接着保持して接合するように、運搬用ケージ１００の底面１０３に設置されたフック（不図示）で固定する。次に、運搬用ケージ１００の第一扉２０１を上部へ巻き上げて開放し、サルがチャンバー装置１の第一収容部２に移動しなければ、狭体板５００を第一開口部３００に向かって移動し、サルを第二収容部８００から押し出すことが可能である。従って、本発明の実施例の運搬用ケージ１００は、サルを捕捉することなく、安全に短時間でサルの移動をさせることが可能である。サルが第二収容部８００から第一開口部８００と第二開口部７を介して第一収容部２へ移動した後、チャンバー装置１の第一の扉４１を閉め、フックで固定されたチャンバー装置１と運搬用ケージ１００との接合を解除し、チャンバー装置１の第二の扉４２を閉め、必要な測定を行う。この間、サルは、試験室２１に設置された突起部３に着座することにより、突起部３が無い場合と比べて比較的安静に過ごすことができる。
【００４１】
測定終了後、サルをチャンバー装置１から運搬用ケージ１００へ移動する手順は、まず
、チャンバー装置１の第二の扉４２を開け、第一の扉４１を閉めた状態で、チャンバー装置１の第二開口部７と運搬用ケージ１００の第一開口部３００とを対向させ、該第二開口部７と第一開口部３００が接着保持して接合するように、運搬用ケージ１００の底面１０３に設置されたフック（不図示）で固定する。このとき、運搬用ケージ１００の第二の扉４２は外されたままで、運搬用ケージ１００の第一扉２０１を開放状態にしておく。次に、チャンバー装置１の第一の扉４１を上部に引き抜いて開放し、運搬用ケージ１００をチャンバー装置１中へ挿入して、サルを運搬用ケージ１００に移動させる。移動したことを確認したら運搬用ケージ１００の第一扉２０１を閉め、フックで固定されたチャンバー装置１と運搬用ケージ１００との接合を解除する。
【００４２】
運搬用ケージ１００から、サルを飼育用ケージへ移す方法としては、運搬用ケージ１００の第二扉２０２を第二収容部８００から取り外し、第一扉２０１を閉めた状態にする。飼育用ケージと、運搬用ケージ１００の第一開口部３００とを接合させ、運搬用ケージ１００の第一扉２０１を空け、必要に応じて、狭体板５００を第一開口部３００に向かって移動し、サルを第二収容部８００から押し出すことが可能である。従って、本発明の実施例の運搬用ケージ１００は、サルを捕捉することなく、安全に短時間でサルの移動をさせることが可能である。あるいは、第二扉２０２を閉じたまま第一扉２０１は開放して狭体板５００を第一開口部３００に向かって押し出し、サルを身動きできないように圧迫する。その後、第二扉２０２の外から捕獲棒を差し込み動物の首輪を掴み第二扉２０２を開放しても逃げられないようにする。第二扉２０２を開放したら動物の両腕を後手に捕獲し、捕獲棒を外して、そのまま飼育ケージに戻す方法でも移動させることができる。
【実施例】
【００４３】
以下、本発明の実施例のチャンバー装置１における測定について詳細に説明する。尚、チャンバー装置１における測定はこれらによって限定されるものではない。先ず、チャンバー装置１内に設置した突起部３の効果について説明する。
【００４４】
カニクイザル（３齢、オス）を、密閉された試験室２１で、内側の居住空間が、縦：約７０ｃｍ、横：約６０ｃｍ、高さ：約７６．５ｃｍである第一収容部２に収容し、ビデオ録画で３時間観察した。また、上記チャンバー装置１の試験室２１の背面に突起部３を設置した場合としない場合とで、同一のサルで同一の時間帯に実験を行い、その行動を比較した。
【００４５】
その結果、突起部３を設置されていないチャンバー装置１では、サルは落ち着き無く試験室２１中を動き回り、１時間程度探索行動を繰り返した。その後、チャンバー装置１に馴化し座る行動をしたが、すわる場所は一定ではなく頻繁に場所を変更するのが確認された。例えば、チャンバー装置１の前面５２に出てきて外を覗うか、またはチャンバー装置１の四隅のいずれかに座ることが多く確認された。
【００４６】
一方、突起部３を設置したチャンバー装置１では、同じく最初は落ち着き無く試験室２１中の中を動き回り探索行動が見られたが、その時間は０．５時間程度で、突起部３の無いチャンバー装置１に収納したときよりも、探索行動をする時間が短かった。また、チャンバー装置１に馴化した後は、チャンバー装置１の前面５２に出て外を覗う以外は突起部３に着座することが多く確認された。
【００４７】
（１）呼吸器系測定用チャンバー装置
本測定では、本発明の実施例のチャンバー装置１を用いた。サルを第一収容部２へ収容した。また、試験室２１は、縦：約７０ｃｍ、横：約６０ｃｍ、高さ：約７６．５ｃｍである。チャンバー装置１には、特表２００７−５０００６７号公報に記載の呼吸器系測定用装置が設置されている。
【００４８】
（２）サルを用いた測定
本発明の実施例のチャンバー装置１に、生理食塩液、あるいは塩酸モルヒネ１０ｍｇ／ｋｇ（武田薬品工業株式会社製、１０ｍｇ／ｍｌ）を皮下投与したカニクイザル４例（４齢オス）を収納し、WHOLE BODY PLETHYSMOGRAPHY法にて呼吸機能測定を行った。生理食塩水を投与したサルと、塩酸モルヒネを投与したサルは同一で、実験は１〜９日間あけて行った。
【００４９】
なお、カニクイザルは、予め上記チャンバー装置１の第一収容部２の試験室２１に収容し、探索行動が落ち着いた状態で投与前値を取得した。この後、動物を上記チャンバー装置１から取り出し、生理食塩水またはモルヒネを投与し、直ちに上記チャンバー装置１に収容し、６時間以上測定した。測定時間中は絶食、自由摂水とした。
【００５０】
また、上記チャンバー装置１内で呼吸機能測定を行うと同時に、テレメトリー法を用いた心血管系機能及び心電図、ビデオカメラを用いた中枢神経系機能の観察を行った。血圧は、送信器からの圧信号をテレメトリー方式で受信器を介し、データ取得・実時間解析システム（NOTOCORD-hem 3.5，NOTOCORD SYSTEMS社製）により収縮期血圧、拡張期血圧および平均血圧として測定した。心拍数は、血圧の脈波をトリガーして、データ取得分析用コンピュータシステムを介して測定した。また、心電図は、送信器からの生体電気信号をテレメトリー方式で受信器を介してデータ取得・実時間解析システム（NOTOCORD-hem 3.5，NOTOCORD SYSTEMS社製）を用いて測定した。
【００５１】
生理食塩液およびMorphineの投与前、投与後の各パラメータ（収縮期血圧、拡張期血圧、平均血圧、心拍数及び心電図（PQ間隔、QRS群持続時間、QT間隔、QTc）、呼吸数、一回換気量、分時換気量、および一般症状観察）のデータを取得し安全性薬理試験コアバッテリーIN VIVO試験を総合的に評価した。
【００５２】
その結果、４例とも呼吸数は、塩酸モルヒネの１０ｍｇ／ｋｇ皮下投与により、僅かに減少しただけであったが、１回換気量および分時換気量は顕著に減少した。血圧は、塩酸モルヒネ投与により持続的に低下した。一方、心拍数およびQT間隔（QTc）は、塩酸モルヒネ投与では殆ど変化しなかった。中枢神経系に関する一般身体状態の観察では、塩酸モルヒネ投与後、自発運動の低下やヒトへの威嚇低下、ヒトに対する反応の低下、眼瞼下垂、傾眠などの抑制的徴候が持続的にみられた。その外に皮膚掻き行動が観察された。これらの行動は、４例とも同様に観察された。
【００５３】
上記結果より、上記チャンバー装置１を用いたWhole body plethysmography法によるカニクイザルの呼吸機能測定は、無麻酔非拘束下に行うことができ、４例で結果が同様であることがわかった。また、心血管系および中枢神経に及ぼす影響も同時に観察することができた。 
【００５４】
以上により、本発明の実施例のチャンバー装置１によれば、非ヒト霊長類の無麻酔、無拘束状態での測定を簡便な装置で行うことができる。呼吸機能の薬理試験について、無麻酔、無拘束状態での測定がサルを用いて行うことができることは、現在まで一般に上記試験において使用されていたラットが代表的な呼吸抑制をきたすモルヒネへの感受性が低いという問題を解決し、またイヌでは体温の調節を呼吸で行うことや嘔吐しやすい性質があることで間接的に呼吸機能測定に弊害を及ぼす可能性がある点も解決し、より自然状態の動物を用いた測定を行うことが可能である。さらには、サルはヒトと生体機能が近いため、無麻酔・無拘束で測定できることはヒトへの影響を予測することが可能である。
【図面の簡単な説明】
【００５５】
【図１】本発明の実施例のチャンバー装置の斜視図である。
【図１Ａ】本発明の実施例のチャンバー装置の連通管のＡ−Ａ拡大断面図である。
【図２】本発明の実施例のチャンバー装置の扉を開放した正面斜視図である。
【図３】本発明の実施例の運搬用ケージの概略斜視図である。
【図４】本発明の実施例の運搬用ケージの側面図である。
【図５】本発明の実施例の運搬用ケージの正面図である。
【符号の説明】
【００５６】
１・・・チャンバー装置
２・・・第一収容部
２１・・・試験室
２２・・・参照室
２３・・・第一空気流開口
２４・・・第二空気流開口
２５・・・外部空気流開口
２６・・・連通管
２７・・・分離壁
３・・・突起部
４・・・扉部
４１・・・第一の扉
４２・・・第二の扉
５１・・・上面
５２・・・前面
５３・・・側面
５４・・・背面
５５・・・底面
６・・・網状金属板
６１・・・レール
７・・・第二開口部
８・・・餌箱
９・・・給水装置
１００・・・運搬用ケージ
１０１・・・前面
１０２・・・上面
１０３・・・底面
１０４・・・側面
１０５・・・背面
２０３・・・扉部
２０１・・・第一扉
２０２・・・第二扉
３００・・・第一開口部      
４０１・・・駆動スプロケット
４０２、４０３、４０４・・・従動スプロケット
４０５・・・ブロックチェーン
４０６・・・金属丸棒
４０７・・・操作用取手
４０８・・・ストッパープレート
５００・・・狭体板
５０１・・・操作用ハンドル
６００・・・キャスター
７００・・・台座
８００・・・第二収容部
【図１】
2010081852.tif 000003
【図１Ａ】
2010081852.tif 000004
【図２】
2010081852.tif 000005
【図３】
2010081852.tif 000006
【図４】
2010081852.tif 000007
【図５】
2010081852.tif 000008